(57)【要約】  【課題】６極干渉用の同期された３つの高周波を簡単な回路でもって得る。  【解決手段】回路１１で発生された周波数αの高周波が、第１組の接続端子（電極）１Ａ、１Ｂに印可される。回路１６で発生された周波数βの低周波に基づいて、回路１５Ｂによってα＋βの周波数の高周波が生成されて、第２組の接続端子２Ａ、２Ｂに印可される。回路１５Ｃによってα＋２βとされた高周波が、第３組の接続端子３Ａ、３Ｂに印可される。【選択図】  図１
2008000631.tif 000002
【特許請求の範囲】
【請求項１】
搬送周波数となる第１高周波を発生させる第１高周波回路と、
前記第１回路で発生された第１高周波に対して所定の低周波成分を合成して、該第１高周波とは若干異なる周波数の第２高周波を発生させる第２高周波回路と、
前記第１回路で発生された第１高周波に対して所定の低周波成分を合成して、該第１高周波および前記第２高周波に対してそれぞれ若干異なる周波数の第３高周波を発生させる第３高周波回路と、
を備えていることを特徴とする干渉低周波治療器。
【請求項２】
請求項１において、
前記第３高周波の周波数が前記第１高周波の周波数に対して、該第１高周波の周波数と第２高周波の周波数との偏差に対して整数倍の偏差を有するように設定されている、ことを特徴とする干渉低周波治療器。
【請求項３】
請求項１において、
マニュアル指令によって発生される低周波の周波数が変更可能な低周波回路を有し、前記第２高周波回路が、前記第１高周波に対して前記低周波回路で発生された低周波を加算または減算した周波数となる前記第２高周波を出力し、前記第３高周波回路が、前記第１高周波に対して前記低周波回路で発生された低周波の整数倍の周波数を加算または減算した周波数となる前記第３高周波を出力する、ことを特徴とする干渉低周波治療器。
【請求項４】
請求項１または請求項３において、
前記第１高周波回路で発生される高周波の周波数を変更する発生高周波切換回路を備えている、ことを特徴とする干渉低周波治療器。
【請求項５】
請求項１ないし請求項４のいずれか１項において、
前記第１〜第３の各高周波回路に対応して個々独立して、対応する該高周波回路から出力された高周波を変調する変調回路が設けられている、ことを特徴とする干渉低周波治療器。
【請求項６】
請求項１ないし請求項５のいずれか１項において、
前記第１〜第３高周波回路に対応して個々独立して、発生する高周波の出力レベル変更する出力回路が設けられている、ことを特徴とする干渉低周波治療器。
【請求項７】
請求項１ないし請求項６のいずれか１項において，
前記第１〜第３の各高周波回路に対して、それぞれ２個一対となる電極が接続され、
負圧吸引される吸盤が、個々独立して６個設けられ、
前記各吸盤内に、前記合計６個の電極がそれぞれ１個づつ分散配置され、
干渉低周波治療器の本体に、それそれ吸引負圧を受けると共に前記高周波電流が印加される６個の接続端子が設けられ、
前記６個の接続端子に対応して、該接続端子に対して着脱自在に接続される６個の接続ジャックが設けられ、
前記電極と吸盤との合計６個の組合せ体が、それぞれ接続コードを介して、前記６個の接続ジャックのいずれか１つと個々独立して常時接続されており、
前記接続ジャックを接続端子に接続したとき、前記電極が前記接続コードと接続ジャックを介して前記接続端子に電気的に接続されると共に、前記吸盤が該接続コードと接続ジャックを介して該接続端子に負圧伝達されるように接続される、
ことを特徴とする干渉低周波治療器。
【請求項８】
請求項７において、
マニュアル操作によって、４極干渉モ−ドと６極干渉モ−ドとの切換を指令する切換スイッチが設けられ、
前記切換スイッチにより前記６極干渉モ−ドが選択されたとき、前記６個の接続端子に通電されるように前記３つの高周波回路がそれぞれ作動され、
前記切換スイッチにより前記４極干渉モ−ドが選択されたとき、前記３つの高周波回路のうち２つの高周波回路が作動されると共に残る１つの高周波回路が休止され、
前記各接続端子が、高周波電流の通電用の他に、負圧吸引のための負圧伝達用の接続端子をも兼用しており、
前記４極干渉モ−ドが選択されたときに高周波電流の通電が行われない前記１つの高周波回路に対応した所定の１組の接続端子に対する負圧伝達経路中に、電磁切換弁が接続され、
前記４極干渉モ−ドが選択されたとき、前記電磁切換弁が閉弁される、
ことを特徴とする干渉低周波治療器。
【請求項９】
請求項７において、
マニュアル操作によって、４極干渉モ−ドと６極干渉モ−ドとの切換を指令する切換スイッチが設けられ、
前記切換スイッチにより前記６極干渉モ−ドが選択されたとき、前記６個の接続端子に通電されるように前記３つの高周波回路がそれぞれ作動され、
前記切換スイッチにより前記４極干渉モ−ドが選択されたとき、前記３つの高周波回路のうち２つの高周波回路が作動されると共に残る１つの高周波回路が休止され、
前記各接続端子が、高周波電流の通電用の他に、負圧吸引のための負圧伝達用の接続端子をも兼用しており、
前記接続端子内に、前記接続ジャックの着脱に応じて開閉されるチェック弁が構成され、
前記接続端子に前記接続ジャックを接続したときに前記チェック弁が開弁されると共に、前記接続端子から前記接続ジャックを外したときに該チェック弁が閉弁される、
ことを特徴とする干渉低周波治療器。
【発明の詳細な説明】
【技術分野】
【０００１】
本発明は干渉低周波治療器に関するものである。
【背景技術】
【０００２】
干渉低周波治療器としては、対となる電極を２組有する、つまり電極を４個有する４極干渉低周波治療器が実用化されており、２組の電極には、互いに若干周波数の異なる高周波電流が印加されて、２つの高周波の干渉により生じる低周波を利用した治療が行われる（干渉部位は、隣り合う電極間の合計４か所）。
【０００３】
このような干渉低周波治療器においては、患者の体表面に接触させるための電極が吸盤内に配設されて、吸盤内を負圧吸引することによって、吸盤の体表面に対する強い吸引作用を利用して、電極の体表面に対する電気的な接触を確保するようにされるのが一般的である。
【０００４】
最近の干渉低周波治療器の中には、６極干渉低周波治療器が一部実用化されている。このものにあっては、３組の電極（合計６個の電極）のうち、一方側の３個の電極を大きな２つの吸盤の一方にまとめて配置し、他方側の３個の吸盤を他方の吸盤内に配置したものとなっている。
【発明の開示】
【発明が解決しようとする課題】
【０００５】
前述のように、実用化されている６極干渉低周波治療器にあっては、電極が２つの吸盤内に分散配置されているだけなので、干渉部位つまり治療部位が平面的となり、効果的な治療を行う上で限界がある。
【０００６】
また、従来の干渉低周波治療器では、４極干渉用専用、６極干渉用専用とされていたが、治療部位によっては、４極干渉による治療で十分な場合もある一方、６極干渉治療が望まれる場合も有り、このような４極干渉と６極干渉とを適宜使い分ける干渉低周波治療器が強く望まれている。
【０００７】
とりわけ、６極干渉低周波治療器にあっては、周波数が若干異なる３種類の高周波を同期して出力させることが要求されるが、このような３種類の同期した高周波を極力簡単に得られるようにすることが望まれている。
【０００８】
本発明は以上のような事情を勘案してなされたもので、その目的は、６極干渉用の同期された３つの高周波を簡単な回路でもって得られるようにした干渉低周波治療器を提供することにある。
【課題を解決するための手段】
【０００９】
前記目的を達成するため、本発明にあってはその解決手法として次のようにしてある。
すなわち、特許請求の範囲における請求項１に記載のように、
搬送周波数となる第１高周波を発生させる第１高周波回路と、
前記第１回路で発生された第１高周波に対して所定の低周波成分を合成して、該第１高周波とは若干異なる周波数の第２高周波を発生させる第２高周波回路と、
前記第１回路で発生された第１高周波に対して所定の低周波成分を合成して、該第１高周波および前記第２高周波に対してそれぞれ若干異なる周波数の第３高周波を発生させる第３高周波回路と、
を備えたものとしてある。上記解決手法を前提とした好ましい態様は、特許請求の範囲における請求項２以下に記載のとおりである。
【発明の効果】
【００１０】
請求項１によれば、１種類の第１高周波を利用して、第１高周波〜第３高周波の３種類の高周波を得るので、同期した３種類の高周波を簡単な回路構成でもって得ることができる。
【００１１】
請求項２によれば、第１高周波〜第３高周波の周波数を確実に相違させつつ、３つの高周波間での周波数関係を常に容易に把握することができる。
請求項３によれば、干渉により生じる低周波の周波数を簡単な回路構成でもって容易に変更することができる。
請求項４によれば、３種類の高周波の周波数そのものを、簡単な回路構成でもって容易に変更することができる。
【００１２】
請求項５によれば、第１〜第３の高周波毎に変調を行うことができる。
請求項６によれば、第１〜第３の高周波毎にその出力レベルを変更することができる。
【００１３】
請求項７によれば、６個の電極が個々独立して吸盤内に配置されているので、Ｘ軸方向に第１組の電極を配置し、Ｙ軸方向に第２組の電極を配置し、Ｚ軸方向に第３組の電極を配置するということが可能となり、例えば膝、肘、肩等立体的な部分を６極干渉を利用して（干渉ー部位は合計１２か所）立体的に治療することができ、治療効果を飛躍的に高めることができる。また、接続ジャックを接続端子に接続するで、電極に対する通電と吸盤内への負圧吸引とを一挙に行うことができる。
【００１４】
請求項８によれば、４極干渉低周波治療と６極干渉低周波治療とを、マニュアル操作によって簡単に選択することができる。また、電磁切換弁を利用して、４極干渉低周波治療のときに、使用しない接続端子からの負圧漏れを防止することができる。
【００１５】
請求項９によれば、４極干渉低周波治療と６極干渉低周波治療とを、マニュアル操作によって簡単に選択することができる。また、４極干渉低周波治療のときに使用しない接続端子への接続ジャック取外しによって、接続端子からの負圧漏れを防止することができる。
【発明を実施するための最良の形態】
【００１６】
図１は、干渉低周波治療器において、干渉用の３種類の高周波電流（高周波電圧）を発生させるための回路図を示すものであり、実施形態では、第１組の接続端子１Ａ、１Ｂと第２組の接続端子２Ａ、２Ｂと第３組の接続端子３Ａ、３Ｂとを有する６極干渉用とされている。
【００１７】
図１中１１は、基本搬送波（周波数＝α）を発生させる高周波発生回路（第１高周波回路）であり、例えば２５００ＨＺまたは５０００ＨＺとのいずれか一方の高周波を選択的に発生することが可能となっている。高周波発生回路１１は、周波数切換切替回路１２からの信号に基づいて、上記２つの高周波のうちいずれか一方を出力する。
【００１８】
高周波発生回路１１で出力された高周波（α）は、第１変調回路１３Ａ、第１出力回路１４Ａを経て、前記第１１組の接続端子１Ａ、１Ｂに印加される。また、高周波発生回路１１で発生された高周波は、周波数変換回路１５Ｂ（第２高周波回路）、第２変調回路１３Ｂ、第２出力回路１４Ｂを経て、前記第２組の接続端子２Ａ、２Ｂに印加される。さらに、高周波発生回路１１で発生された高周波は、周波数変換回路１５Ｃ（第３高周波回路）、第３変調回路１３Ｃ、第３出力回路１４Ｃを経て、前記第３組の接続端子３Ａ、３Ｂに印加される。
【００１９】
図１中、１６は、所定の低周波（周波数＝βで、例えばβ＝１〜１９９ＨＺ）を発生させる周波数設定回路（低周波回路）である。前記２つの周波数変換回路１５Ｂ、１５Ｃは、低周波βを設定する周波数設定回路１６からの低周波信号と、高周波αを設定する高周波発生回路１１からの高周波信号と合成して、所定の高周波を出力するものとなっている。実施形態では、一方の周波数変換回路１５Ｂから出力される高周波はα＋βの大きさとされ、他方の周波数変換回路１５Ｃから出力される高周波はα＋２βの大きさとされる。
【００２０】
前記３組の接続端子相互の間で発生する干渉によって生じる低周波は、相互の差分となるβと２βの２種類となる。より具体的には、第１組と第２組との接続端子１Ａ、１Ｂと２Ａ、２Ｂとの間での干渉により生じる低周波はβとなり、第２組と第３組との接続端子２Ａ、２Ｂと３Ａ、３Ｂとの間での干渉により生じる低周波はβとなり、第１組と第３組との接続端子１Ａ、１Ｂと３Ａ、３Ｂとの間での干渉により生じる低周波は２βとなる。
【００２１】
図１中、Ｕはマイクロコンピュ−タを利用して構成された制御ユニット（コントロ−ラ）であり、各回路１２、１３Ａ〜１３Ｃ、１４Ａ〜１４Ｃおよび１６を制御する。すなわち、制御ユニットＵは、前記周波数切替回路１２には２５００ＨＺか５０００ＨＺかの選択指令信号出力を出力し、周波数設定回路１６には１〜１９９ＨＺの範囲で低周波βの選択指令信号を出力し、変調回路１３Ａ〜１３Ｃには変調の実行有無の指令信号と、変調する場合の変調度合いの指令信号とを出力し、出力回路１４Ａ〜１４Ｃには、出力の大きさ（出力レベル）と、出力を断続させるバースト制御の実行有無の指令信号と、バースト度合いの指令信号（例えば出力時間に対する出力停止時間の割合）を出力する。なお、図６には、基本信号（波形）と、バースト信号の一例と、変調された信号の一例とが示される。制御ユニットＵは、さらに、４極干渉低周波治療とする場合、例えば、接続端子３Ａ、３Ｂに対応した各回路１３Ｃ〜１５Ｃを休止させる（電源ＯＦＦ）。
【００２２】
図２は、前記各接続端子１Ａ、１Ｂと２Ａ、２Ｂと３Ａ、３Ｃとに対応して個々独立して設けられた吸盤付き電極（電極付き吸盤）と、吸盤に対する負圧吸引を行うための負圧回路とを示す。各接続端子１Ａ、１Ｂと２Ａ、２Ｂと３Ａ、３Ｂとは、後述するように、電極に対する電気的接続と、吸盤に対する負圧伝達のための圧力接続とを行う機能を有する。
【００２３】
図２において、リザ−バ２１内が、モータ２２により駆動されるポンプ２３によって吸引されて、負圧とされる。リザ−バ２１に接続された通路２４が、最終的に接続端子１Ａ〜３Ｂの数に応じた数（実施形態では６本）の分岐通路２５Ａ〜２７Ｂに分岐されて、各分岐通路が対応する接続端子に個々独立して接続される。すなわち、分岐通路２５Ａが接続端子１Ａに接続され、分岐通路２５Ｂが接続端子１Ｂに接続され、分岐通路２６Ａが接続端子２Ａに接続され、分岐通路２６Ｂが接続端子２Ｂに接続され、分岐通路２７Ａが接続端子３Ａに接続され、分岐通路２７Ｂが接続端子３Ｂに接続されている。
【００２４】
通路２４、つまり分岐通路２５Ａ〜２７Ｂよりもリザ−バ２１側の通路には、電磁式の切換弁２８が接続されている。この切換弁２８は、分岐通路２５Ａ〜２７Ｂ、つまり接続端子１Ａ〜３Ｂを、リザ−バ２１と大気とのいずれか一方に選択的に接続する切換機能を有する。
【００２５】
前記制御ユニットＵは、モータ２２の運転制御と、切換弁２８の切換制御とを行う。このため、制御ユニットＵには、切換弁２８よりも接続端子１Ａ〜３Ｂ側において通路２４に接続された圧力センサＰＳからの圧力信号が入力される。勿論、圧力センサＰＳは、接続端子２５Ａ〜２７Ｂの圧力（後述する吸盤内の圧力）を検出するものとなる。モータ２２つまりポンプ２３の運転と切換弁２８の制御とが、圧力センサＰＳで検出される圧力が所定圧力となるようにフィ−ドバック制御される。
【００２６】
図２において、３１Ａ〜３３Ｂは電極、４１Ａ〜４３Ｂは吸盤である。この電極３１Ａ〜３３Ｂは、対応する吸盤４１Ａ〜４３Ｂ内に配設されており、その一例が図３に示される。図３では、電極３１Ａと吸盤４１Ａとを例に示してあるが、他の電極、吸盤も同じように構成されている。この図３において、電極３１Ａは、スポンジ等の導電性部材３４を介して、患者の体表面３５に接触される。吸盤４１Ａ内が負圧吸引されることにより、吸盤４１Ａが体表面３５に吸着され、これにより電極３１Ａが、導電性部材３４を介して体表面３５に電気的に確実に接触（接続）されることになる。
【００２７】
再び、図２において、各電極３１Ａ〜３３Ｂは、個々独立して、電気配線を介して接続ジャック５１Ａ〜５３Ｂに接続される。同様に、各吸盤４１Ａ〜４３Ｂは、個々独立して、負圧配管を介して上記接続ジャック５１Ａ〜５３Ｂに接続される。上記電気配線と負圧配管とは、各電極（各吸盤）毎に１本の可撓性を有する接続コード６１Ａ〜６３Ｂにまとめられている。
【００２８】
接続端子１Ａ〜３Ｂと、接続ジャック５１Ａ〜５３Ｂとの接続構造の一例が、図４に示される。図４では、１Ａと５１Ａとを例にして示してあるが、他の接続端子と接続ジャックとも同じように構成されている。まず、接続端子１Ａは、絶縁機能を有するその本体７１内に弁室７２を有し、弁室７２の基端部側に対して前記分岐通路２５Ａが接続されている。弁室７２の先端部側は、接続通路７３を介して外部に開口されている。この接続通路７３の内面には、電気的接続用の導電性部材７３ａが固定配置され、導線性部材７３ａに対して、図１で説明したような高周波電気信号が印加される。
【００２９】
弁室７２内には、逆止弁（チェック弁）７４が構成されている。この逆止弁７４は、接続通路７３の基端部に形成された弁座７５と、弁座７５に離着座されるボール７６と、ボール７６を弁座７５に向けて付勢するスプリング７７とから構成されている。スプリング７７の付勢力は、分岐通路２５Ａ側から最大負圧でもって吸引されたときでも、ボール７６が弁座７７に着座されるような大きさとされている。
【００３０】
一方接続ジャック５１Ａは、導電性部材からなる細長い嵌合部８１を有する。この嵌合部８１は、円筒状とされて、前記接続通路７３に対してがたつきなく挿入できる太さとされている。そして、嵌合部８１を接続通路７３に所定深さ挿入した状態では、嵌合部８１がスプリング７７に抗してボール７６を押圧、変位させて、接続通路７３を開く。この状態では、嵌合部８１が、弁室７２を介して分岐通路２５Ａに連通されて、当該分岐通路２５Ａを吸盤４１Ａと連通させる。また、嵌合部８１の外周面が導電性部材７３ａに接触される（電極３１Ａへの通電）。なお、図示は略すが、嵌合部８１は例えばクリック機構等によって、接続通路７３から容易には嵌合はずれしないようにされている。
【００３１】
図５は、前述した各接続端子１Ａ〜３Ｂの、低周波治療器に対する配置例を示すが、図中８１は低周波治療器の本体ケースである。図５の配置例では、接続端子１Ａ〜２Ｂが、４極干渉低周波治療用として用いられるために、集合状態で配置される。また、残る２つの接続端子３Ａ、３Ｂは、６極干渉低周波治療のときにのみ用いられる関係上、上記４つの接続端子１Ａ〜２Ｂとは離間した位置とされている。図５において、符号８２〜８４は、対となる接続端子を明確に示すための色分け表示（線状）である。
【００３２】
実施形態において、干渉低周波治療は例えば次のようにして行われる。まず、６極干渉低周波治療の場合は、６個の電極３１Ａ〜３３Ｂ（６個の吸盤４１Ａ〜４３Ｂ）が用いられる。例えば、患者の膝を治療するとき、第１組の電極３１Ａと３１Ｂとが、膝の表と裏に配置（吸着）される（Ｘ軸方向配置）。また、第２組の電極３２Ａと３２Ｂとが、膝の左と右とに配置される（Ｙ軸方向配置）。さらに、第３組の電極３３Ａと３３Ｂとが、膝の前方と後方とに配置される（Ｚ軸方向配置）。勿論、各電極は、対応する吸盤の体表面への吸着を利用して、体表面に固定される。
【００３３】
各電極３１Ａ〜３３Ｂに、図１で説明したような互いに周波数が若干異なる３種類の高周波を印加することにより、その干渉により生じた低周波による治療が、立体的に行われることになる。
【００３４】
４極干渉低周波治療のときは、電極３１Ａ〜３２Ｂ（吸盤４１Ａ〜４２Ｂ）のみが用いられ、電極３３Ａ、３３Ｂ（吸盤４３Ａ、４３Ｂ）は用いられない。この使用されない電極３３Ａ、３３Ｂに対応した接続ジャック５１Ａ、５１Ｂを、接続端子２７Ａ、２７Ｂから取外しておくことにより、逆止弁７４の作用によって、使用されない接続端子２７Ａ、２７Ｂからの負圧漏れが防止される。
【００３５】
制御ユニットＵは、マニュアル操作される各種スイッチの操作状態に応じて、前述した各回路等を制御するが、このマニュアル操作されるスイッチとしては、例えば次のようなものが含まれる。まず、負圧制御のためのスイッチとして、吸引のＯＮ、オフ（実行、停止）切換スイッチＰ１、吸引態様の切換スイッチＰ２、吸引圧の切換スイッチＰ３（例えば最小３０ｍｍＨｇ〜最大３００ｍｍＨｇの範囲で設定可能）、自動吸引モ−ドのＯＮ、オフ切換スイッチＰ４、吸引開始の指令スイッチＰ５、吸引時間の切換スイッチＰ６（前記スイッチＤ６の治療時間と同じに自動設定する場合は不要）である。
【００３６】
吸盤内の負圧吸引態様としては、例えばモ−ド１とモ−ド２とが設定される。モ−ド１はさらに、選択された一定負圧値での連続吸引の他に、この一定負圧値を中心として上下に所定分だけ吸引負圧を高周波でもって変化させる変化回数が設定される（例えば１秒あたりに、１５回、３０回、６０回、１５〜３０回の間での自動可変、３０〜６０回の間での自動可変）が設定されている。また、モ−ド２は、吸引負圧の自動可変であるが、特にもみ効果のためにゆっくりと負圧を自動変化させるものであり、例えば『強』、『中』、『弱』の３種類が設定されている。より具体的には、『強』のときは例えば１秒あたり０．３秒だけ電磁弁２８を大気に解放し、同様に『中』のときは０．２秒開放し、『弱』のときは０．１秒だけ解放する。
【００３７】
自動吸引モ−ドがＯＮされたときは、マニュアル設定された負圧吸引態様に優先して、吸引開始時からの第１所定時間（例えば３０秒）と、マニュアル設定された吸引時間終了から第２所定時間（例えば３０秒）との間だけ、自動設定される一定負圧値でもって連続吸引を行うものである。上記第１所定時間の間は、吸盤を患者の体表面に吸着させるのに好適な一定負圧の大きさに自動設定される（例えば１００ｍｍＨｇによる連続吸引）。上記第２所定時間の間は、吸引負圧が一定値とされるが、このときの負圧の大きさは、吸盤が体表面から落下しない範囲で、極力小さく設定するのが好ましい。
【００３８】
次に、干渉低周波の出力関係として、４極干渉治療と６極干渉治療との切換（変更）スイッチＤ１、基本周波数αの切換スイッチＤ２、周波数βの切換スイッチＤ３、変調の有無とその変調度合いの切換スイッチＤ４、バーストの有無とその度合いの切換スイッチＤ５、治療時間（出力時間）の切換スイッチＤ６、出力の強さの切換スイッチＤ７である。
【００３９】
上記スイッチＤ１〜Ｄ７の他に、出力関係の複数種の組合せが、第１モ−ドとしてあらかじめ複数種設定されて、この複数種の組合せの中から任意の１つの出力態様を選択するためのマニュアルスイッチＤ８が装備される。上記複数種の組合せとしては、変調の有無および変調の度合と、ベクトルの有無との組合せとさされる（ベクトルについては後述する）。
【００４０】
上記組合せは、例えば次の７種類が設定されている。
組合せ１：変調なし、ベクトルなし
組合せ２：変調なし、ベクトル５秒
組合せ３：変調７５％、ベクトルなし
組合せ４：変調１００％、ベクトルなし
組合せ５：変調２５％、ベクトル５秒
組合せ６：変調５０％、ベクトル５秒
組合せ７：変調７５％、ベクトル５秒
【００４１】
前記ベクトルについて説明するト、ベクトル有りとは、各組の電極間での出力レベルを相違させて、干渉部位を変更することの意味であり、ベクトルなしとは、各組の電極間での出力レベルが同じ場合を言う。図７にベクトル有りの場合の一例が、簡単化のために４極干渉低周波治療の場合を例に示される。図７の例では、ある組の電極を設定出力レベルに所定時間（ベクトル時間で、図７では５秒）維持しつつ、この所定時間の間だけ、他の組の電極を設定出力レベルと設定出力レベルの所定割合（図７では５０％）レベルとの間で徐々に変更を行うことにより行うようになっている。なお、図７の例では、治療開始から所定時間（図７では３０秒）経過するまでの間は、各組の電極共に設定出力レベルに維持される。
【００４２】
上記各組合せに対して、干渉低周波（β、２β）の大きさ（頻度）があらかじじめ設定されている。例えば、干渉低周波の大きさとして、小さい方から大きい方（低頻度から高頻度）へ、小（低頻度で、例えば１〜１０ＨＺ））、中（中頻度で、例えば３〜３０ＨＺ）、大（高頻度で、例えば８０〜１２０ＨＺ）の３種類に分類されて、上記各組合せについては、低頻度を所定時間（例えば２４０秒）行い、次いで高頻度を所定時間（例えば１２０秒）行い、以後はこの繰り返しとなる（頻度変更のときは、徐々に干渉周波数変更を行うのが好ましい）。上記各頻度において、その上限周波数と下限周波数との間で自動的に、徐々に周波数変更することもできる。この場合、上限周波数から下限周波数へ移行して再び上限周波数へ復帰する１回当たりの時間（掃引時間）を、自動設定してもよく、マニュアル設定してもよく（あらかじめ設定された複数の掃引時間の中からマニュアル選択する場合も含む）、さらにはいわゆる『ゆらぎ』と呼ばれる１／Ｆ（Ｆは周波数）での制御とすることもできる。
【００４３】
前記各組合せについてそれぞれ、あらかじめ治療時間（例えば１５分）をも自動設定しておいてもよく、さらに、基本搬送波の周波数を例えばソフトとなる５０００ＨＺに自動設定しておくこともできる。
【００４４】
上述した干渉低周波の大きさ（頻度）を、前記各組合せとは別に複数種あらかじめ設定して、この複数種の頻度の中から、別途設けたマニュアルスイッチを利用してマニュアル選択するようにしてもよい。図１の周波数切換回路１５Ｂ、１５Ｃは、設定された低周波の周波数βに基づいて、基本高周波の周波数αから減算した周波数を出力するようにしてもよい（１５Ｂがα−βを出力し、１５Ｃがα−２βを出力する）。
【００４５】
以上実施形態について説明したが、本発明はこれに限らず、例えば次のような場合をも含むものである。例えば、図１の周波数設定回路１６の出力を、周波数変換回路１５Ｃ、変調回路１３Ｃをバイパスして出力回路１４Ｃに入力させることにより、２極（接続端子３Ａ、３Ｂ）のみを利用した低周波治療を行うこともでき（２極、４極、６極の切換を行うマニュアルスイッチによる選択）、２極低周波治療選択のときは、使用しない他の電極に対応した回路は休止される。
【００４６】
使用しない一部の吸盤への負圧伝達の防止（負圧漏れ防止）のために、図４で示すような構造のものは、６極干渉低周波治療のみに用いる電極３３Ａ、３３Ｂについてのみに用いるようにしてもよい。また、図４に示す構造の代わりにあるいは加えて、図２の一点鎖線で示すように、上記電極３３Ａ、３３Ｂに対応した負圧通路に電磁開閉弁８５を設けて、当該電極３３Ａ、３３Ｂを使用しないときはこの電磁弁を閉じておくようにすることもできる。
【００４７】
図１の周波数変換回路１５Ｂと１５Ｃとの間では、干渉周波数が、一方が他方の整数倍の関係（実施形態では２倍の関係）になるように設定しておくのが、周波数設定回路１６を共通化しつつ、異なる干渉周波数を得る上で好ましいものとなる。勿論、各周波数変換回路１５Ｂ、１５Ｃ毎に周波数設定回路１６を別途設けておけば、よりきめ細かい干渉周波数を選択することが可能になる。
【００４８】
センサやスイッチ等の各種部材は、その機能の上位表現に手段の名称を付して表現することができる。また、本発明の目的は、明記されたものに限らず、実質的に好ましいあるいは利点として表現されたものを提供することをも暗黙的に含むものである。さらに、本発明は、制御方法として表現することも可能である。
【図面の簡単な説明】
【００４９】
【図１】本発明の一実施形態を示すもので、電気信号系統を示す図。
【図２】本発明の一実施形態を示すもので、負圧系統を示す図。
【図３】電極付き吸盤の一例を示す簡略側面断面図。
【図４】接続端子部分の詳細を示す断面図。
【図５】低周波治療器に設けた接続端子の配置例を示す図。
【図６】高周波信号が変化される様子を示す図。
【図７】ベクトルを説明するための図。
【符号の説明】
【００５０】
１Ａ〜３Ｂ：接続端子
１１：周波数発生回路（第１高周波回路）
１２：周波数切換回路（発生高周波切換回路）
１３Ａ〜１３Ｃ：変調回路
１４Ａ〜１４Ｃ：出力回路
１５Ｂ：周波数変換回路（第２高周波回路）
１５Ｃ：周波数変換回路（第３高周波回路）
１６：周波数設定回路（低周波回路）
３１Ａ〜３３Ｂ：電極
４１Ａ〜４３Ｂ：吸盤
５１Ａ〜５３Ｂ：接続ジャック
６１Ａ〜６３Ｂ：接続コード
７４：チェック弁
８５：電磁切換弁
Ｕ：制御ユニット
【図１】
2008000631.tif 000003
【図２】
2008000631.tif 000004
【図３】
2008000631.tif 000005
【図４】
2008000631.tif 000006
【図５】
2008000631.tif 000007
【図６】
2008000631.tif 000008
【図７】
2008000631.tif 000009